(57)【要約】  エネルギー貯蔵アセンブリ（５）は、多数の部分エネルギー貯蔵装置（１）と、複数の部分エネルギー貯蔵装置（１）を互いに接触させるための接触装置（６）とを備えている。各部分エネルギー貯蔵装置（１）は、電極アセンブリと少なくとも２つの接続端とを有するエネルギー貯蔵部（４）を保持するフレーム構造（２）を備えている。部分エネルギー貯蔵装置は、押圧部（２．２）と接触部（３）とを備えている。エネルギー貯蔵部（４）の接続端は、接触部（３）と接続されている。押圧部（２．２）は、接触装置（６）を接触部（３）に対して弾性的に押圧するように構成および配備されている。また、本発明は、特に、そのようなエネルギー貯蔵アセンブリ（５）における部分エネルギー貯蔵装置（１）として使用可能な、エネルギー貯蔵装置（１）も対象としている。
2014514705.tif 000002
【特許請求の範囲】
【請求項１】
複数の部分エネルギー貯蔵装置（１）と、
前記複数の部分エネルギー貯蔵装置（１）を互いに接触させるための接触装置（６）と、を備えたエネルギー貯蔵アセンブリ（５）において、
前記部分エネルギー貯蔵装置（１）がそれぞれ、電極アセンブリと少なくとも２つの接続端（４．２）とを有するエネルギー貯蔵部（４）を保持するフレーム構造（２）を備えており、
前記部分エネルギー貯蔵装置（１）が、押圧部（２．２）および接触部（３）を備えており、
前記エネルギー貯蔵部（４）の前記接続端（４．２）が、前記接触部（３）と接続されており、
前記押圧部（２．２）が、前記接触装置（６）を前記接触部（３）に対して弾性的に押圧するように構成および配備されていることを特徴とする、エネルギー貯蔵アセンブリ（５）。
【請求項２】
前記接触装置（６）が、少なくとも２本の導体レール（６）を備えていることを特徴とする、請求項１に記載のエネルギー貯蔵アセンブリ（５）。
【請求項３】
前記部分エネルギー貯蔵装置（１）の内、前記押圧部（２．２）が、前記フレーム構造（２）のばね部（２．３）によって弾性的に可動であることを特徴とする、請求項１または２に記載のエネルギー貯蔵アセンブリ（５）。
【請求項４】
前記フレーム構造（２）が、前記部分エネルギー貯蔵装置に配設された前記接触装置（６）の部分を収容するための収容部（２．４）を備えていることを特徴とする、請求項１から３のいずれか一項に記載のエネルギー貯蔵アセンブリ（５）。
【請求項５】
前記収容部（２．４）の一方側が開口していることを特徴とする、請求項１から４のいずれか一項に記載のエネルギー貯蔵アセンブリ（５）。
【請求項６】
前記収容部（２．４）が、前記接触装置（６）を係止するための少なくとも１つの係止部（２．５）を備えていることを特徴とする、請求項１から５のいずれか一項に記載のエネルギー貯蔵アセンブリ（５）。
【請求項７】
請求項１から６のいずれか一項に記載のエネルギー貯蔵アセンブリ（５）であって、電極アセンブリと少なくとも２つの接続端（４．２）とを有するエネルギー貯蔵部（４）を保持するフレーム構造（２）を有するエネルギー貯蔵アセンブリ（５）において、特に、部分エネルギー貯蔵装置（１）として配置されるエネルギー貯蔵装置（１）であって、
前記フレーム構造（２）が、複数の前記エネルギー貯蔵装置（１）を接触させるための接触装置（６）の少なくとも一部を収容するための収容部（２．４）を備えており、
前記エネルギー貯蔵装置（１）が、押圧部（２．２）および接触部（３）を備えており、
前記エネルギー貯蔵部（４）の接続端（４．２）が前記接触部（３）と接続されており、
前記押圧部（２．２）が、前記接触装置（６）を前記接触部（３）に対して弾性的に押圧するように構成および配備されている、エネルギー貯蔵装置（１）。
【請求項８】
前記エネルギー貯蔵部が、前記フレーム構造と一体化されていることを特徴とする、請求項７に記載のエネルギー貯蔵装置（１）。
【請求項９】
前記エネルギー貯蔵部（４）を、離脱可能に前記フレーム構造（２）に接続し、特に係止することができることを特徴とする、請求項７に記載のエネルギー貯蔵装置（１）。
【請求項１０】
請求項１から６のいずれか一項に記載のエネルギー貯蔵アセンブリ（５）の運用方法であって、
‐特に電気エネルギーを、前記エネルギー貯蔵アセンブリ（５）から負荷に給電するステップと、
‐前記エネルギー貯蔵アセンブリ（５）によって前記負荷に給電しながら、前記エネルギー貯蔵アセンブリ（５）から部分エネルギー貯蔵装置（１）を取り外すステップと、
‐前記エネルギー貯蔵アセンブリ（５）によって前記負荷に給電しながら、前記エネルギー貯蔵アセンブリ（５）に前記部分エネルギー貯蔵装置（１）を挿入するステップと、
を特徴とする、方法。
【発明の詳細な説明】
【技術分野】
【０００１】
優先出願である独国特許出願第１０２０１１０１６０１７号の全内容は、本明細書において参照されることにより、本出願の一部となる。
【０００２】
本発明は、エネルギー貯蔵アセンブリおよびエネルギー貯蔵装置に関する。
【背景技術】
【０００３】
リチウムイオンベースの平型セルのような、複数の電気エネルギー貯蔵セルまたはバッテリセルを、積層してバッテリとし、互いに接続することが知られている。そのようなバッテリの組立は、しばしば煩雑である。また、バッテリ全体を分解しなければ、個々の構成部品（セルまたはサブモジュール）を交換できない場合が多い。一部の種類の既知のバッテリでは、特にバッテリセルの不具合の後、バッテリセルを交換するために少なくとも一時的に負荷への給電を遮断しなければならない。
【発明の概要】
【発明が解決しようとする課題】
【０００４】
本発明は、特にバッテリセルの不具合の際の、接続された負荷への給電を改善することを課題とする。
【課題を解決するための手段】
【０００５】
本課題は、独立請求項の特徴によって解決される。本発明の有利な発展形態は、下位請求項の対象である。
【０００６】
本発明の一態様によれば、複数の部分エネルギー貯蔵装置と、複数の部分エネルギー貯蔵装置を互いに接触させるための接触装置とを備えたエネルギー貯蔵アセンブリが提案される。各部分エネルギー貯蔵装置は、電極アセンブリと少なくとも２つの接続端とを有するエネルギー貯蔵部を保持するフレーム構造を備えている。部分エネルギー貯蔵装置は、押圧部と接触部とを備えている。エネルギー貯蔵部の接続端は、接触部と接続されている。押圧部は、接触装置を接触部に対して弾性的に押圧するように構成および配備されている。
【０００７】
本発明の趣旨において、エネルギー貯蔵アセンブリは、特に、好適には電気エネルギーを化学エネルギーに、およびその逆方向に変換した状態で、特に電気エネルギーを受容し、貯蔵し、再放出するために設けられたアセンブリとして理解される。
【０００８】
本発明の趣旨において、部分エネルギー貯蔵装置は、特に、好適には電気エネルギーを化学エネルギーに、およびその逆に変換した状態で、特に電気エネルギーを受容し、貯蔵し、再放出するためにそれ自体に設けられた、エネルギー貯蔵アセンブリの内蔵型機能ユニットとして理解される。
【０００９】
本発明の趣旨において、貯蔵セルは、特に、ガルバニ一次または二次セル（本出願の枠内では、一次または二次セルを区別無くバッテリセルと呼び、それらから構成されるエネルギー貯蔵装置をバッテリと呼ぶ）として理解される。また、本発明の趣旨において、燃料セル、スーパーキャパシタもしくはその類似物のような高性能キャパシタ、または他の種類のエネルギー貯蔵セルが、貯蔵セルとして理解される。特に、バッテリセルとして構成された貯蔵セルは、電気エネルギーから化学エネルギーへ、またはその逆の変換が起こる活性領域または活性部分と、周囲から活性部分を密閉するためのハウジングと、少なくとも２つの電極とを備えている。活性部分は、特に、好適には電極スタックとして、略円筒形の電極コイルまたは扁平コイルとして形成されている電極アセンブリを備えている。電極アセンブリは、集電ホイルと、活性層と、セパレータ層とで形成されている。活性層は、集電ホイルの被覆として設けられている。極は集電ホイルと電気的に接続されているか、または集電ホイルと一体に形成されている。
【００１０】
本発明によれば、部分エネルギー貯蔵装置内に形成された押圧部が、接触装置を部分エネルギー貯蔵装置の接触部に対して弾性的に押圧するように構成および配備されている。有利なことに、特に、エネルギー貯蔵アセンブリにおいて部分エネルギー貯蔵装置の取り付けが容易になる。さらに有利なことに、部分エネルギー貯蔵装置の互いの接触が確実に保証される。これに関して、本発明の趣旨においては、部分エネルギー貯蔵装置の接触部に対する接触装置の押圧を、接触装置に対する部分エネルギー貯蔵装置の接触部の押圧と理解してもよい。好適には、特に部分エネルギー貯蔵装置がエネルギー貯蔵アセンブリに挿入されている場合に、部分エネルギー貯蔵装置の押圧部が部分エネルギー貯蔵装置の接触部に対して締め付けられる。
【００１１】
押圧部および接触部を有する本発明に係る部分エネルギー貯蔵装置の構成では、部分エネルギー貯蔵装置を、隣接する部分エネルギー貯蔵装置から独立して、エネルギー貯蔵アセンブリから取り外し、またはエネルギー貯蔵アセンブリへ挿入することができる。押圧部が接触装置を接触部の方向へ押圧することにより、特に、欠陥のある部分エネルギー貯蔵装置を、運用中にエネルギー貯蔵アセンブリから取り外すことができる。さらに、部分エネルギー貯蔵装置を、運用中にエネルギー貯蔵アセンブリに挿入し得る。したがって、本発明に係る部分エネルギー貯蔵装置の構成では、部分エネルギー貯蔵装置を交換するために、負荷への給電を遮断する必要がない。このように、根本的課題が解決される。
【００１２】
好適には、エネルギー貯蔵アセンブリは、接触装置が少なくとも２本の導体レールを備えるように形成されている。本発明の趣旨において、導体レールとは、略連続的な、特に導電性のある構成要素として理解される。接触装置の少なくとも２本の導体レールは互いに電気的に絶縁されている。
【００１３】
好適には、押圧部は、フレーム構造のばね部を介して弾性的に可動である。有利なことに、接触装置および部分エネルギー貯蔵装置の接触部の互いへの押圧は、さらなる構成要素を設けずに、部分エネルギー貯蔵装置あるいはそのフレーム構造の固有特性によって実現される。好適には、ばね部の材料は、ばね部が弾性変形可能となるように考慮されている。有利なことに、ばね部の変形からの復元力の作用によって、部分エネルギー貯蔵装置の組立状態において、接触装置の導体レールが、押圧部および接触部によって、特に摩擦接続的に包囲される。さらに有利なことに、接触部および導電性のある導体レール間に電気接触が生じる。
【００１４】
好適には、フレーム構造は、接触装置の、部分エネルギー貯蔵装置に配設された部分を収容するための収容部を備えている。有利なことに、負荷への給電中の部分エネルギー貯蔵装置の交換が容易になる。また、好適には、接触装置を密閉状態で、つまり外部から容易には接触装置には接触できないように管理することができる。さらに、部分エネルギー貯蔵装置内部で接触装置との接触をもたらすことができる。
【００１５】
好適には、収容部は片側が開口している。有利なことに、特に負荷への給電中の、部分エネルギー貯蔵装置の取り付けおよび離脱が容易になる。
【００１６】
好適には、収容部は、接触装置を係止するための少なくとも１つの係止部を備えている。有利なことに、部分エネルギー貯蔵装置が不意に離脱し難くなる。
【００１７】
また、本発明のさらなる態様によれば、電極アセンブリおよび少なくとも２つの接続端を有するエネルギー貯蔵部を保持するフレーム構造を有するエネルギー貯蔵装置が提案される。当該フレーム構造は、複数のエネルギー貯蔵装置を互いに接触させるための接触装置の少なくとも一部を収容するための収容部を備えており、エネルギー貯蔵装置は、押圧部および接触部を備えており、エネルギー貯蔵部の接続端は接触部と接続されており、押圧部は、接触装置を接触部に対して弾性的に押圧するように構成および配備されている。
【００１８】
エネルギー貯蔵装置は、前述の本発明の態様の趣旨における部分エネルギー貯蔵装置であってもよい。
【００１９】
本発明のさらなる構成において、エネルギー貯蔵部は、エネルギー貯蔵装置のフレーム構造と一体化されているか、または、離脱可能にフレーム構造に接続、特に係止することができる。
【００２０】
本発明に係るエネルギー貯蔵アセンブリ、本発明に係るエネルギー貯蔵セル、および本発明に係る熱伝導要素は、特に、自動車内で使用されることを意図されている。この場合、自動車は、特にハイブリッド車または電気自動車である。
【００２１】
本発明は、特に、これに限らないが、リチウムまたはリチウム化合物を電気化学的活性成分として含む、電極アセンブリを有するエネルギー貯蔵装置に適用することができる。
【００２２】
本発明の上述の、およびさらなる特徴、課題、および利点は、添付図面を参照しながら記載された以下の説明によって、より明確となろう。
【図面の簡単な説明】
【００２３】
【図１】単バッテリを示す概略空間図である。
【図２】図１の単バッテリの内部構造を示す概略横断面図である。
【図３】図２の矢視における鎖線ＩＩＩ−ＩＩＩに沿った単バッテリの概略断面図である。
【図４】複数の単バッテリを有するバッテリアセンブリを示す概略空間図である。
【図５】制御装置および複数の導体レールを有するバッテリ箱を示す概略空間図である。
【発明を実施するための形態】
【００２４】
図面は概略を示したものであり、少なくとも基本的に、本発明を理解する助けとなる特徴の描写に限定されていることを指摘しておく。また、図面に示された寸法および相対的サイズは基本的に描写を明瞭にするためのものであり、明細書に別段の記載がない限り、必ずしも限定的に解釈されるべきではないことを指摘しておく。
【００２５】
互いに対応する部品には、全図面において同一の符号が付されている。
【００２６】
以下、図１から図３に基づいて、フレーム２を有する単バッテリ１を、本発明の好ましい実施例として説明する。図１は、単バッテリ１の概略空間図、図２は、単バッテリ１の高さ方向Ｈおよび幅方向Ｗによって画定される平面における、単バッテリ１の概略横断面図、図３は、図２の矢視における鎖線ＩＩＩ−ＩＩＩに沿った単バッテリ１の概略断面図である。
【００２７】
図１によると、単バッテリ１は、３つの接触要素３が埋め込まれたフレーム２と、フレーム２内に収容されたバッテリセル４とを備えている。
【００２８】
フレーム２は、高さＨ、幅Ｗ、および厚さＴを有する平坦な直方体の（板状の）基本形を備えており、この基本形は、本体２．１、取っ手２．２、および取っ手２．２を本体２．１に接続する接続部２．３に区分される。取っ手２．２と本体２．１との間には、隙間２．４が形成されており、隙間２．４の上面２．４．１が取っ手２．２の下方の境界を成し、隙間２．４の下面２．４．２が本体２．１の上方の境界を成している。隙間２．４は隙間高さｈを有している。
【００２９】
本体２．１は、バッテリセル４を収容するための、窓状の断面矩形の切抜部２．１．１を備えている。隙間２．４の下側表面２．４．２および切抜部２．２．１の上側境界面の間に延在する、本体２．１の上側横梁２．１．２には、接触要素３が埋め込まれている。
【００３０】
接触要素３は銅製であり、フレーム２内に鋳造される、少なくとも略直方体の導電要素として形成されている。接触要素３は、本体２．１の切抜部２．１．１の上側境界面と面一である下側接触面３．１と、隙間２．４の下面２．４．２と面一である上側接触面３．２とを備えている。接触要素３の上側接触面３．２と下側接触面３．１との間には、フレーム２の材料と適合する側面３．３が延在している。
【００３１】
バッテリセル４は、セル体４．１と３つの接触ニップル４．２とを備えている。
【００３２】
セル体４．１は、バッテリセルまたは蓄電セル（単セル）を形成する、詳細不図示の電極アセンブリを含んでいる。そのような電極アセンブリでは、典型的に、少なくともリチウムまたはリチウム化合物を含む電気化学的活物質の被覆を有する、異なる極性の電極ホイル、特にアルミニウムおよび／または銅ホイル、および／または合金から成るホイルが互いに積層され、セパレータ（詳細不図示）、特にセパレータホイルによって互いに絶縁されている。このように、電極ホイルおよびセパレータが、ガルバニアセンブリ、特に、電気エネルギーの受容と、貯蔵のための電気化学的変換と、電気化学的再変換と、電気エネルギーの放出とに使用可能である、リチウムイオン二次セルを形成している。同一極性の電極ホイルの周辺領域は、互いに電気的に接続され、例えば、必須ではないが、互いに導電的に圧着および／または溶接されて、電極アセンブリの極接点を形成している。電極アセンブリは詳細不図示のハウジング内に気密および液密に密閉されて、セル体４．１を形成している。
【００３３】
セル体４．１の上面（上側の細幅面）４．１．１から、３つの球状に形成された接触ニップル４．２が突出している。接触ニップルは、セル接点Ｋ１、Ｋ２、Ｋ３を形成している。セル接点はセル体４．１のハウジングを貫通して延在し、セル体の内部において電極アセンブリの接触領域と接続されている。詳細には、第一のセル接点Ｋ１を形成する接触ニップル４．２が、電極アセンブリの正極接点と接続されてセル４の正のセル極Ｐ＋を形成している。さらに、第二のセル接点Ｋ２を形成する接触ニップル４．２が、セル４内部の測定接点と接続されてセル４の測定接続を形成している。最後に、第三のセル接点Ｋ３を形成する接触ニップル４．２が、電極アセンブリの負極接点と接続されてセル４の負のセル極Ｐ−を形成している。
【００３４】
バッテリセル４およびフレーム２、特に本体２．１の切抜部２．１．１は、フレーム２内にバッテリセル４を挿入する際に、接触ニップル４．２が接触要素３の下側接触面３．１に押し付けられるような相対寸法を有している。その際、セル体４．１の下側細幅面４．１．２が、フレーム２の本体２．１の下側横梁２．１．３に支持される。
【００３５】
取っ手２．２の隙間２．４へ向けられた面（つまり、隙間２．４の上面２．４．１）には、フレーム２の全厚さＴにわたってフレーム２の厚さ方向に平行に延在する３つの切欠２．５が形成されている。切欠２．５は、横断面が円形であり、接触要素３に対向して配置されている。直径ｄを有する円形が、中央の切欠２．５に破線で示されている。この直径は、切欠２．５（切欠底）の、隙間２．４の下面２．４．２または対向配置された接触要素３の上側接触面３．２からの最大距離と一致する。さらに、取っ手２．２はばね方向Ｆに揺動可能であり、その際、接続部２．３がばねによって弾性的にピボットジョイントとして作用する。この配置の機能は、図４に基づいたバッテリアセンブリの説明との関連において明らかとなろう。
【００３６】
図４は、本発明のさらなる実施例としてのバッテリアセンブリ５を示す概略空間図である。
【００３７】
バッテリアセンブリ５は、図１から図３に係る複数の単バッテリ１と、３本の導体レール６とを備えている。
【００３８】
単バッテリ１は積層方向ｓに連続して配置されている。図４の描写によると、単バッテリ１が接続から取り出され、それによってアセンブリ５に間隙が残されている。
【００３９】
３本の導体レール６は、積層方向ｓに互いに平行に延在している。導体レールの直径ｄは、図２に示された切欠２．５の円形断面の直径ｄに対応し、寸法はそれより大きい。導体レール６の間隔は、単バッテリ１の幅Ｗ方向における切欠２．５の間隔に対応している。本実施例において、導体レール６は、正母線Ｓ＋、負母線Ｓ−、および信号伝達線または信号線Ｓ０として使用される。
【００４０】
図４の描写によると、単バッテリ１は隙間２．４を介して導体レール６上へ通されており、導体レール６が切欠２．５内に置かれている。取っ手２．２の、フレーム２の本体２．１に対する弾性のある揺動性（図２のばね方向Ｆ）によって、導体レール６が接触要素３に対して確実に押圧され、電気接触が保証される。個々の単バッテリ１は、取付方向Ｍにおいて、接続から離脱可能および取り外し可能であり、その際、抵抗として接続部２．３のばね力のみを克服することになる。
【００４１】
このようにして、バッテリアセンブリ５全体において、正母線Ｓ＋と正のセル極Ｐ＋を形成するバッテリセル４の接触ニップル４．２との間、負母線Ｓ−と負のセル極Ｐ−を形成するバッテリセル４の接触ニップル４．２との間、および信号線Ｓ０とバッテリセル４の中央の接触ニップル４．２との間に電気接触が生じる。
【００４２】
つまり、バッテリアセンブリ５は、特に単バッテリ１の並列接続を形成する。このように、容易に所与の単一電圧（バッテリ電圧）を有する多数の単バッテリを接続し、所望の容量のバッテリアセンブリとすることができる。
【００４３】
図５は、導体レール６および制御装置８を有するバッテリ箱７の概略空間図である。
【００４４】
図５の描写によると、バッテリ箱７は、底壁７．１と、後壁７．２と、２つの側壁７．３とを有する開口した直方体として形成されている。したがって、バッテリ箱７は上側および前側が開口している。
【００４５】
側壁７．３には、外側に制御装置８が取り付けられている。側壁７．３の間に、および側壁７．３を貫通して、３本の導体レール６が延在している。自由端６．１は、側壁７．３からバッテリ箱７の外部へ突出し、制御装置８の一方側で終端している。
【００４６】
図５の導体レール６は、図４の導体レール６に対応している。したがって、図１から図３に係る複数の単バッテリ１を、バッテリ箱７内、つまり側壁７．３の間の、導体レール６に掛けることができ、それによって、図４のバッテリアセンブリ５のようなバッテリアセンブリを形成することができる。バッテリ箱７内のバッテリアセンブリ５を、バッテリパックと呼んでもよい。単バッテリ１は、バッテリ箱７内のバッテリパック全体を分解せずに、個々に交換することができる。このため、状況によっては運用中の交換も可能である。
【００４７】
制御装置８は、導体レール６に接続されたバッテリパックの状態を検出および処理するために構成および配備されている。例えば、これに限らないが、制御装置８は、バッテリパックおよびバッテリパック内の単バッテリ１の電圧状態および容量を検出する。測定データおよび制御データは、信号線Ｓ０を介して制御装置８と単バッテリ１との間で交換することができる。その際、信号線Ｓ０は、例えば、これに限らないが、直列バスとして機能させることができる。制御装置８の一方側には、バッテリアセンブリ全体の極として使用される極接点（詳細不図示）が設けられている。
【００４８】
詳細不図示の手段によって、複数のバッテリ箱７を導体レール６の自由端６．１に連結することができる。その際、各バッテリ箱７に制御装置８を割り当ててもよいが、唯一の制御装置８によって、全ての接続されたバッテリ箱７またはその中に配置されたバッテリパックを制御してもよい。
【００４９】
以下に、本発明のいくつかの好ましい変形例を説明する。
【００５０】
本発明を、上記において、具体的な実施例を参照しながら、その基本的特徴について説明したが、言うまでもなく、本発明はこれらの実施例に限定されるものではなく、例えば、これに限らないが、以下に示すように、請求項によって規定された範囲内で変更および展開することが可能である。
【００５１】
実施例では、接触要素３はフレーム２内に鋳造されていたが、接触要素をフレーム２に接着、焼き嵌め等によって設けてもよい。また、接触要素３を、平行な側面を有する直方体として説明したが、接触要素３が隙間２．４へ不意に変位することを防止するために、下側接触面３．１から上側接触面３．２へ延びるような円錐形の側面３．３を備えていてもよい。また、鋳造の場合は、接触要素３の不意の変位を防止するために、他の形状接続手段を設けてもよい。さらなる変形例において、接触要素３は、円形または楕円形の断面を有する円筒形または円錐台形のような、全く異なる基本形を備えていてもよい。
【００５２】
接触要素３は、銅の他にも、アルミニウム、鉄等、またはこれらの１つもしくは複数との合金、または銅との合金、導電性プラスチック、または導電性セラミックのような、あらゆる良好な導電性材料から製造することができる。表面抵抗を低減するために、導電要素３の接触表面３．１、３．２を、例えば金、銀等、またはこれらの１つもしくは複数との合金のような接触媒質で被覆してもよい。
【００５３】
バッテリセル４がフレーム２から不意に脱落し難くするために、接触要素３の下側接触面３．１に、バッテリセル４の接触ニップル４．２が係止する溝を設けてもよい。
【００５４】
接触要素３の上側接触面３．２は、隙間２．４の上面２．４．１の切欠２．５に対応する切欠を備えていてもよく、接触要素３の切欠が隙間２．４の下面２．４．２において延在することによって、導体レール６の２点係止が実現される。
【００５５】
フレーム２の本体２．１の切抜部２．１．１を、窓状の貫通孔として説明した。変形例において、切抜部２．１．１を、フレーム２の本体２．１の平坦面に接続してもよい。さらに、フレーム２の本体２．１の平坦面（ただ今説明した変形例では開口平坦面）を、蓋で閉鎖してもよい。
【００５６】
フレーム２の接続部２．３の柔軟性は、切込、空洞または部分的に軟質な材料を選定することによって高めることができる。代替として、部分的に硬質な材料を選定することによって、必要な場合には、柔軟性を低下させることができる。このように部分的に材料特性を変化させることは、プラスチック部品では比較的容易に実現できる。
【００５７】
同様に、フレーム２の取っ手２．２の剛性は、材料選定、繊維補強、または、例えば金属断面による補強によって高められる。
【００５８】
実施例では、バッテリセル４を単セルとして説明したが、バッテリセル４は、バッテリセル４の所望の極電圧および所望の容量を得るために、内部で並列および／または直列接続された、複数の単セルを備えていてもよい。さらなる変形例において、複数のバッテリセル４をフレーム２内に収容してもよい。その際、必須ではないが、複数のバッテリセル４の接続は、複数のバッテリセル４と上側横梁２．１．２との間に設けられる追加の構成要素によって実現してもよい。例えば、これに限らないが、複数のバッテリセル４のセル極を、この追加の構成要素によって直列接続し、直列接続の自由端を各接触要素３と接続してもよい。その際、必須ではないが、複数のバッテリセル４を、極の位置を交互にして配置することによって、追加の構成要素の構造、特に内部配線を容易にすることもできる。
【００５９】
実施例では、バッテリセル４はフレーム２内へ収容可能であるとともにフレーム２から取り外し可能である。変形例において、フレーム２自体が電極アセンブリのハウジングを形成してもよく、それにより、単バッテリ１をバッテリセル（単セルまたは多セル）として形成し、電極ホイル（導体突起（Ａｂｌｅｉｔｆａｈｎｅｎ））の自由端を接触要素３と直接接続してもよい。
【００６０】
さらなる変形例において、接触要素を取っ手２．２の切欠２．５の領域に配置してもよく、特に接続部２．３によってもたらされる導電接続によって、バッテリセル４の電極アセンブリまたはフレーム２の本体２．１に一体化された電極アセンブリの極接点は、接触要素と接続されている。本態様のさらなる発展形態において、隙間高さｈは、少なくとも導体レールの直径ｄほどの大きさがあり、隙間２．４の下面２．４．２には、弾性のある押圧要素が切欠２．５に対向して設けられ、この押圧要素が、導体レール６を面２．４．２に導入する際に後退し、導体レール６が切欠２．５内に係止する時には、下側から導体レール６を押圧する。この発展形態では、取っ手２．２を弾性的に揺動可能に構成する必要がない。この変形例では、重力の作用のみによって、導体レール６を接触要素から不意に持ち上がり難くする。
【００６１】
言うまでもなく、導体レール６の本数は図示した数と異なっていてもよい。例えば、単バッテリ１のバッテリ電圧を利用するには、正および負の導体レールとして２本の導体レールで十分である。他方、これに限らないが、単バッテリ１の様々な中間電圧を利用するために、またはさらなる信号伝達機能を果たすために、追加の導体レールを設けてもよい。
【００６２】
導体レール６、特に、これに限らないが、信号線Ｓ０を多心に形成し、また、接触要素３を多極に形成してもよい。特に、これに限らないが、接触要素３は、積層方向ｓまたは厚さ方向Ｔに平行に延在し互いに絶縁された複数の接触領域を備えていてもよく、これらの接触領域が、所属する導体レール６が回転不能にバッテリ箱７に格納される時に、導体６の対応する接触領域と相関することによって、一意的な位置決めが保証される。さらに、接触要素３を上面２．４．１および下面２．４．２に設け、所属する導体レールが、個別の導電領域を上側および下側領域に備えていてもよい。この場合も、回転不能な支持が必要である。
【００６３】
単バッテリ１は、単バッテリ１を把持するための把持装置を備えていてもよい。また、単バッテリ１は、取り外す際の非所望の電力接触を防止するために、単バッテリ１内部の導電接続を切断するための非活性化装置を備えていてもよい。そのような非活性化装置を、把持装置と連動して作動させてもよい。また、把持装置が解放される時に、手動操作によって、または自動的に取っ手２．２を本体２．１とロックするロック装置を設けてもよい。
【００６４】
本発明の趣旨において、バッテリアセンブリ５はエネルギー貯蔵アセンブリである。本発明の趣旨において、各単バッテリ１は部分エネルギー貯蔵装置およびエネルギー貯蔵装置である。本発明の趣旨において、導体レール６は接触装置を形成する。本発明の趣旨において、フレーム２はフレーム構造である。本発明の趣旨において、各バッテリセル４またはフレーム２と一体化された電極アセンブリはエネルギー貯蔵部である。本発明の趣旨において、接触ニップル４．２は接続端である。本発明の趣旨において、単バッテリ１が一体化されたバッテリセルまたは多セルとして形成されている場合、電極アセンブリの導体突起またはその他の極接点を接続端として理解することができる。本発明の趣旨において、接触要素３の上側接触面３．２は接触部を形成する。本発明の趣旨において、取っ手２．２は押圧部である。本発明の趣旨において、言及したものの詳細が不図示である押圧要素も同様に、押圧部であってよい。本発明の趣旨において、接続部２．３はばね部である。本発明の趣旨において、隙間２．４は収容部である。本発明の趣旨において、切欠２．５は係止部である。
【符号の説明】
【００６５】
１  単バッテリ
２  フレーム
２．１  本体
２．１．１  切抜部
２．１．２  上側横梁
２．１．３  下側横梁
２．２  取っ手
２．３  接続部
２．４  隙間
２．４．１  上面
２．４．２  下面
２．５  切欠
３  接触要素
３．１  下側接触面
３．２  上側接触面
３．３  側面
４  バッテリセル
４．１  セル体
４．２  接触ニップル
５  バッテリアセンブリ
６  導体レール
６．１  自由端
７  バッテリ箱
８  制御装置
ｄ  直径
ｈ  隙間高さ
ｓ  積層方向
Ｆ  ばね方向
Ｈ  高さ
Ｋ１，Ｋ２，Ｋ３  セル接点
Ｍ  組立方向（取付方向）
Ｐ＋  正のセル極
Ｐ−  負のセル極
Ｓ＋  正母線
Ｓ−  負母線
Ｓ０  信号線
Ｔ  厚さ
Ｗ  幅
上記の符号の説明は、本明細書の不可欠な一部を成すものであることを、明確に指摘する。
【図１】
2014514705.tif 000003
【図２】
2014514705.tif 000004
【図３】
2014514705.tif 000005
【図４】
2014514705.tif 000006
【図５】
2014514705.tif 000007
【国際調査報告】
2014514705.tif 000008
2014514705.tif 000009
2014514705.tif 000010
2014514705.tif 000011